(57)【要約】【課題】既存の三脚脚立に簡単に取り付け可能で且つ三脚脚立とともに折り畳むことが可能な三脚脚立用固定具を提供する。【解決手段】この三脚脚立用固定具８０は、固定パイプ部材３０ａとスライドパイプ部材３０ｂとを既存の三脚脚立２０の開防止チェーン１６に通すことで既存の三脚脚立２０に簡単に取り付けることができる。また、この三脚脚立用固定具８０は開防止チェーン１６を通したまま固定パイプ部材３０ａ、スライドパイプ部材３０ｂを二つ折りとし三脚脚立２０に吊下げることができる。このため、三脚脚立用固定具８０を付けたまま三脚脚立２０を折り畳んで移動及び保管が可能となり、三脚脚立用固定具８０を常に忘れずに携行することができる。【選択図】図４
0003214371.tif 000002
【実用新案登録請求の範囲】
【請求項１】
下方が外側に拡がった左右の脚体と前記左右の脚体の間に固定された複数の踏桟とで構成される前支柱と、上端が前記前支柱に対して回動可能に軸支されるとともに一本の脚体で構成される後支柱と、前記前支柱と後支柱との間に架け渡して前記前支柱と後支柱との間の脚間が開くことを防止する開防止チェーンと、を有する三脚脚立の固定具であって、
前記開防止チェーンを内部に通す固定パイプ部材と、
前記固定パイプ部材に対しスライド可能に設置され前記開防止チェーンを内部に通すスライドパイプ部材と、
前記スライドパイプ部材のスライド移動を固定する固定手段と、
前記固定パイプ部材及びスライドパイプ部材の外端部に設けられ前記前支柱及び後支柱に掛止される支柱掛け金具と、
前記固定パイプ部材もしくはスライドパイプ部材の外側の下部に所定の長さで設けられ前記開防止チェーンの端部を開放する鎖開放部と、を有することを特徴とする三脚脚立用固定具。
【請求項２】
鎖開放部の長さが２０ｃｍ〜２５ｃｍであることを特徴とする請求項１記載の三脚脚立用固定具。
【請求項３】
鎖開放部を除いた固定パイプ部材及びスライドパイプ部材の長さが略同等であることを特徴とする請求項２記載の三脚脚立用固定具。
【考案の詳細な説明】
【技術分野】
【０００１】
本考案は、使用時に三脚脚立が閉じることを防止する三脚脚立用固定具に関するものである。
【背景技術】
【０００２】
従来から造園業者や果樹農家において図６に示すような三脚脚立２０が広く使用されている。この三脚脚立２０は、左右の脚体１２ａ、１２ｂと踏桟１０とを備えた前支柱１２と、上端が前支柱１２に対して回動可能に軸支されるとともに一本の脚体で構成された後支柱１４と、を有し、前支柱１２と後支柱１４とを所定の開脚角度に開いた上で、前支柱１２と後支柱１４との間に開防止チェーン１６を架け渡して開脚状態を保持し使用する。
【０００３】
しかしながら、開防止チェーン１６は脚間が開くことは防止するものの、脚間が狭まること、即ち前支柱１２と後支柱１４とが閉じることを防止することは出来ない。尚、一般的な使用状態では作業者の体重が下方にかかるため、使用時に前支柱１２と後支柱１４とが閉じることはない。しかしながら、三脚脚立２０の設置場所に大きな傾斜が有ったり、不適切な使用方法をした場合、前支柱１２と後支柱１４とが閉じて重大な事故が発生する危険性が有る。よって、閉方向に対しても安全対策を施すことが求められている。
【０００４】
ここで、例えば下記［特許文献１］には開閉操作棒を設け、この開閉操作棒によって前支柱と後支柱とを開閉する三脚脚立の開閉装置に関する発明が記載されている。そして、この［特許文献１］に記載の発明では、開閉操作棒が開防止チェーンを兼ねる構成が記載されており、この構成では開閉操作棒を前支柱と後支柱との間に架け渡すことで開脚状態を開方向、閉方向ともに固定することができる。
【先行技術文献】
【特許文献】
【０００５】
【特許文献１】特開２０００−２８２７７０号公報
【考案の概要】
【考案が解決しようとする課題】
【０００６】
しかしながら、［特許文献１］に記載の発明は、開閉操作棒の一端が前支柱よりも外側に突出するため作業者の昇降時の障害となる他、三脚脚立を折り畳む際に邪魔になるという問題点がある。また、既存の三脚脚立に手軽に設置できないという問題点ある。
【０００７】
本考案は上記事情に鑑みてなされたものであり、既存の三脚脚立に簡単に取り付け可能で且つ三脚脚立とともに折り畳むことが可能な三脚脚立用固定具の提供を目的とする。
【課題を解決するための手段】
【０００８】
本考案は、
（１）下方が外側に拡がった左右の脚体１２ａ、１２ｂと前記左右の脚体１２ａ、１２ｂの間に固定された複数の踏桟１０とで構成される前支柱１２と、上端が前記前支柱１２に対して回動可能に軸支されるとともに一本の脚体で構成される後支柱１４と、前記前支柱１２と後支柱１４との間に架け渡して前記前支柱１２と後支柱１４との間の脚間が開くことを防止する開防止チェーン１６と、を有する三脚脚立２０の固定具であって、
前記開防止チェーン１６を内部に通す固定パイプ部材３０ａと、
前記固定パイプ部材３０ａに対しスライド可能に設置され前記開防止チェーン１６を内部に通すスライドパイプ部材３０ｂと、
前記スライドパイプ部材３０ｂのスライド移動を固定する固定手段３２と、
前記固定パイプ部材３０ａ及びスライドパイプ部材３０ｂの外端部に設けられ前記前支柱１２及び後支柱１４に掛止される支柱掛け金具（前支柱掛け金具３４ａ、後支柱掛け金具３４ｂ）と、
前記固定パイプ部材３０ａもしくはスライドパイプ部材３０ｂの外側の下部に所定の長さで設けられ前記開防止チェーン１６の端部を開放する鎖開放部３６と、を有することを特徴とする三脚脚立用固定具８０を提供することにより、上記課題を解決する。
（２）鎖開放部３６の長さが２０ｃｍ〜２５ｃｍであることを特徴とする上記（１）記載の三脚脚立用固定具８０を提供することにより、上記課題を解決する。
（３）鎖開放部３６を除いた固定パイプ部材３０ａ及びスライドパイプ部材３０ｂの長さＬａ、Ｌｂが略同等であることを特徴とする上記（２）記載の三脚脚立用固定具８０を提供することにより、上記課題を解決する。
【考案の効果】
【０００９】
本考案に係る三脚脚立用固定具は、固定パイプ部材とスライドパイプ部材とを既存の三脚脚立の開防止チェーンに通すことで既存の三脚脚立に簡単に取り付けることができる。また、本考案に係る三脚脚立用固定具は、開防止チェーンに通したまま二つ折りとし三脚脚立に吊下げることができる。このため、三脚脚立用固定具を付けたまま三脚脚立の折り畳みと移動及び保管とが可能となり、三脚脚立用固定具を常に忘れずに携行することができる。
【図面の簡単な説明】
【００１０】
【図１】本考案に係る三脚脚立用固定具の分解斜視図である。
【図２】本考案に係る三脚脚立用固定具の使用状態を示す図である。
【図３】本考案に係る三脚脚立用固定具の他の例を示す図である。
【図４】本考案に係る三脚脚立用固定具の使用状態を示す斜視図である。
【図５】本考案に係る三脚脚立用固定具の折り畳み状態を示す図である。
【図６】本考案を適用する三脚脚立を示す図である。
【考案を実施するための形態】
【００１１】
本考案に係る三脚脚立用固定具の実施の形態について図面に基づいて説明する。先ず、本考案を適用する三脚脚立２０に関して図６を用いて説明する。先ず、三脚脚立２０は、作業者が昇降に使用する前支柱１２と、上端が前支柱１２に対して回動可能に軸支されるとともに一本の脚体で構成される後支柱１４と、前支柱１２と後支柱１４との間に架け渡して前支柱１２と後支柱１４との開の脚間が開くことを防止する開防止チェーン１６と、を有している。そして、前支柱１２は下方が外側に拡がった左右の脚体１２ａ、１２ｂと、これら左右の脚体１２ａ、１２ｂの間に略等間隔で固定した複数の踏桟１０と、を有している。また、前支柱１２の上端には天板１２ｃが設置され、この天板１２ｃの横フレームに後支柱１４の上端が回動可能に設置する。また、地面から所定の高さ位置の踏桟１０ａには開防止チェーン１６の一端が固定する。
【００１２】
また、三脚脚立２０の後支柱１４は、前述のように前支柱１２の上端に回動可能に設置された一本の脚体で構成される。尚、後支柱１４は、外筒脚体１４ａと、この外筒脚体１４ａに対しスライド可能な内筒脚体１４ｂと、この内筒脚体１４ｂの位置を固定する内筒脚体固定手段１４ｃとを備え、内筒脚体１４ｂの固定位置を変化させることで長さ調節を可能とすることが好ましい。また、後支柱１４には、前支柱１２の踏桟１０ａに対向する位置近傍に開防止チェーン１６の環（鎖素子）を引っ掛けるチェーンフック部材１８が設けられている。そして、前支柱１２と後支柱１４とを規定の開脚角度とした後、開防止チェーン１６の自由端側の適切な環をチェーンフック部材１８に引っ掛ける。これにより、前支柱１２と後支柱１４とは開防止チェーン１６によってこれ以上開くことができなくなる。尚、一般的に開防止チェーン１６にはチェーンの遊びを形成するための予備的な環が２個〜６個程度余計に付いており、よってチェーンフック部材１８に掛かる環は図中に示すように自由端の先端から２個〜６個内側の環となる。尚、以後、この掛止状態にある開防止チェーン１６の長さ（図２に示すチェーン固定端からチェーンフック部材１８の掛止端までの開防止チェーン１６の長さ）をチェーン長Ａとする。
【００１３】
次に、本考案に係る三脚脚立用固定具８０の構成を図１の分解斜視図を用いて説明する。本考案に係る三脚脚立用固定具８０は、開防止チェーン１６を内部に通す固定パイプ部材３０ａと、この固定パイプ部材３０ａに対しスライド可能に設置され同じく開防止チェーン１６を内部に通すスライドパイプ部材３０ｂと、スライドパイプ部材３０ｂのスライド移動を固定する固定手段３２と、固定パイプ部材３０ａ及びスライドパイプ部材３０ｂの外端部に設けられ前支柱１２もしくは後支柱１４に掛止めされる支柱掛け金具（前支柱掛け金具３４ａ、後支柱掛け金具３４ｂ）と、固定パイプ部材３０ａもしくはスライドパイプ部材３０ｂの外側の下部に所定の長さで設けられ開防止チェーン１６の自由端部側を出入自由に開放する鎖開放部３６と、を有している。
【００１４】
上記の固定パイプ部材３０ａ、スライドパイプ部材３０ｂは、開防止チェーン１６を通すことが可能な十分な内形を有する周知のパイプ部材で構成され、材質及び形状に関しては特に限定はない。ただし、軽量で強度が高いアルミニウム製の角パイプを用いることが特に好ましい。尚、本例では固定パイプ部材３０ａ内にスライドパイプ部材３０ｂを挿入してスライド移動させる例を示している。よってこの場合の固定パイプ部材３０ａとしては、内形寸法がスライドパイプ部材３０ｂの外形寸法と同等もしくは若干大きいものを用いる。また、スライドパイプ部材３０ｂが固定パイプ部材３０ａを内挿しながらスライド移動する構成では、スライドパイプ部材３０ｂの内形寸法が固定パイプ部材３０ａの外形寸法と同等もしくは若干大きいものを用いる。
【００１５】
また、固定手段３２としてはスライドパイプ部材３０ｂのスライド動作を固定する周知の機構、部材を用いることができる。中でも、外側に位置するパイプ部材（固定パイプ部材３０ａ）のパイプ挿入端近傍にネジ孔を穿孔し、このネジ孔に例えば周知の蝶ボルトを螺合させ、この蝶ボルトを締め込むことでスライドパイプ部材３０ｂを固定することが最も簡易で好ましい。
【００１６】
また、前支柱掛け金具３４ａは固定パイプ部材３０ａの外側の端部を前支柱１２の開防止チェーン１６の固定部近傍に掛止する機能を有する。尚、前支柱１２における開防止チェーン１６の固定部は、前述のように特定の踏桟１０ａに設けることが多く、よって前支柱掛け金具３４ａは側面視で略コの字形状、略Ｕ字形状、もしくは図３（ａ）に示すように上側が突出した略Ｌ字形状のプレートを用いることが好ましい。そして、前支柱掛け金具３４ａの中央には開防止チェーン１６が通る通し孔３８が設けられる。
【００１７】
また、後支柱掛け金具３４ｂはスライドパイプ部材３０ｂの外側の端部を後支柱１４の開防止チェーン１６の固定部、即ちチェーンフック部材１８の若干上方に掛止する機能を有する。尚、後支柱１４は前述のように一本の脚体で構成されるから、後支柱掛け金具３４ｂは上面視で略Ｕ字形状もしくは略コの字形状のプレートもしくは金属棒で構成することが好ましい。
【００１８】
また鎖開放部３６は開防止チェーン１６をパイプ部材に対して出入り可能に開放する部位であり、前述のように固定パイプ部材３０ａもしくはスライドパイプ部材３０ｂの外側の下部に所定の長さで設けられる。尚、本例では鎖開放部３６をスライドパイプ部材３０ｂに設けた例を示している。ただし、鎖開放部３６は図３（ｂ）に示すように固定パイプ部材３０ａ側に設けても良く、この場合には前支柱掛け金具３４ａの通し孔３８の下方を切り欠き開防止チェーン１６が前支柱掛け金具３４ａから出入り可能とする。また、鎖開放部３６はどのように形成しても良く、例えばパイプ部材３０ａ、３０ｂの外側の下部を所定の長さで切除して鎖開放部３６としても良いし、本例で示すように下方が開放した略コの字状のプレートを接合して形成しても良い。また、図３（ｃ）に示すようにスライドパイプ部材３０ｂを底面が開放した略コの字状のパイプで形成し鎖開放部３６との境界に外れ止め３７を設置して構成しても良い。
【００１９】
次に各部の好適な寸法について説明する。先ず、パイプの重なり部分の最少長さ（約５ｃｍ程度）を除いた固定パイプ部材３０ａとスライドパイプ部材３０ｂ（鎖開放部３６を含む）との合計の長さは、図２に示すようにチェーン長Ａと略同等とする。また、鎖開放部３６を除いたスライドパイプ部材３０ｂの長さＬｂは固定パイプ部材３０ａの長さＬａと略同等とすることが好ましい。このとき、鎖開放部３６の長さは２０ｃｍ以上が好ましく、２０ｃｍ〜２５ｃｍ程度とすることが好ましい。この寸法構成によれば、開防止チェーン１６の先端を鎖開放部３６の基まで引き込むことで、開防止チェーン１６の余分な環を固定パイプ部材３０ａ、スライドパイプ部材３０ｂを二つ折りする際の繋ぎ鎖として機能させることができる。そして、図５に示すように三脚脚立２０を折り畳む際に固定パイプ部材３０ａ、スライドパイプ部材３０ｂを引き抜いて二つ折りとし、開防止チェーン１６を介して三脚脚立２０に吊下げることができる。この構成によれば三脚脚立用固定具８０を付けたまま三脚脚立２０の移動と保管とが可能となり、三脚脚立用固定具８０の保管スペースが不要な他、三脚脚立用固定具８０を常に忘れずに携行することができる。尚、上記の寸法よりもパイプ部材３０ａ、３０ｂが長い場合、もしくは鎖開放部３６が短い場合、開防止チェーン１６の余分な環が少ないときに固定パイプ部材３０ａ、スライドパイプ部材３０ｂの二つ折りに環が足らず三脚脚立用固定具８０の二つ折り収容を行えない可能性が有る。
【００２０】
次に、本考案に係る三脚脚立用固定具８０の取り付け方法を説明する。先ず、三脚脚立２０を適度に開き、開防止チェーン１６の自由端をチェーンフック部材１８から外す。次に、三脚脚立用固定具８０の固定パイプ部材３０ａを前支柱掛け金具３４ａを先にして開防止チェーン１６に通す。次に、スライドパイプ部材３０ｂを後支柱掛け金具３４ｂが後となるように開防止チェーン１６に通す。次に、開防止チェーン１６の自由端の先端の環をチェーンフック部材１８に引っ掛け、三脚脚立２０を閉じる。これにより、三脚脚立用固定具８０は図５に示すように開防止チェーン１６が通った状態で二つ折りにされ三脚脚立２０に吊下げられた状態となる。
【００２１】
次に、本考案に係る三脚脚立用固定具８０の使用方法を説明する。先ず、作業者が三脚脚立２０を三脚脚立用固定具８０とともに目的の場所に移動させ前支柱１２と後支柱１４とを開く。これにより後支柱１４が回動して、前支柱１２と後支柱１４とが開脚状態となる。次に、必要であれば内筒脚体固定手段１４ｃを操作して内筒脚体１４ｂの固定位置を変化させ、後支柱１４の長さを調節する。
【００２２】
次に、開防止チェーン１６を通したまま、スライドパイプ部材３０ｂを固定パイプ部材３０ａに挿入するとともに、固定パイプ部材３０ａの前支柱掛け金具３４ａを開防止チェーン１６の固定部である踏桟１０ａに引っ掛ける。次に、前支柱１２と後支柱１４とを規定の開脚角度とした後、適切な開防止チェーン１６の環をチェーンフック部材１８に引っ掛ける。この際、開防止チェーン１６の自由端側は鎖開放部３６によって開放されているから比較的自由な取り回しが可能であり、上記の開防止チェーン１６の掛止を楽に行うことができる。次に、スライドパイプ部材３０ｂをスライド移動させ、スライドパイプ部材３０ｂの後支柱掛け金具３４ｂを後支柱１４に当接させる。次に、固定手段３２を締め込むなどしてスライドパイプ部材３０ｂの位置を固定する。これにより、スライドパイプ部材３０ｂはスライド移動ができなくなり、三脚脚立用固定具８０は図４に示すように前支柱１２、後支柱１４に掛止された状態で固定する。これにより、三脚脚立２０は三脚脚立用固定具８０が障害となって閉じることができなくなる。また、開方向への移動は従来通り開防止チェーン１６が防止するから、よって三脚脚立２０の前支柱１２と後支柱１４とは開方向も閉方向も固定され、三脚脚立２０による作業の安全性を向上させることができる。そして、作業者は三脚脚立２０を使用して目的の作業を行う。
【００２３】
次に、三脚脚立２０による作業が終了すると、作業者は固定手段３２を操作してスライドパイプ部材３０ｂの固定状態を解除する。次に、作業者は開防止チェーン１６の環をチェーンフック部材１８から一旦外し、スライドパイプ部材３０ｂを固定パイプ部材３０ａから引き抜いた後、自由端の先端の環をチェーンフック部材１８に引っ掛ける。このときも開防止チェーン１６の自由端側は鎖開放部３６によって開放されているから比較的自由な取り回しが可能であり、上記の掛止作業を楽に行うことができる。次に、作業者は三脚脚立２０の前支柱１２と後支柱１４とを閉じる。このとき、固定パイプ部材３０ａ、スライドパイプ部材３０ｂは、図５に示すように開防止チェーン１６を通したまま二つ折りとなり開防止チェーン１６によって三脚脚立２０に吊下げられる。次に、作業者は三脚脚立２０を移動もしくは所定の場所で保管する。
【００２４】
以上のように、本考案に係る三脚脚立用固定具８０は、規定の開脚角度に開いた前支柱１２と後支柱１４との間に掛止されることで、三脚脚立２０はこの三脚脚立用固定具８０が障害となって閉じることができなくなる。また、開方向への移動は従来通り開防止チェーン１６が防止するから、よって三脚脚立２０は開方向も閉方向も固定され、三脚脚立２０による作業の安全性向上を図ることができる。また、本考案に係る三脚脚立用固定具８０は、固定パイプ部材３０ａとスライドパイプ部材３０ｂとを既存の三脚脚立２０の開防止チェーン１６に通すことで既存の三脚脚立２０に簡単に取り付けることができる。また、本考案に係る三脚脚立用固定具８０は前支柱１２と後支柱１４の外側には突出しないため、作業の障害となることもない。
【００２５】
また、本考案に係る三脚脚立用固定具８０は、固定パイプ部材３０ａとスライドパイプ部材３０ｂの一方に長さ２０ｃｍ〜２５ｃｍ程度の鎖開放部３６を設け、さらに鎖開放部３６を除いたスライドパイプ部材３０ｂの長さＬｂと固定パイプ部材３０ａの長さＬａとを略同等とすることで、開防止チェーン１６の先端を鎖開放部３６の基まで引き込み、このときの余分な環をパイプ部材３０ａ、３０ｂの二つ折りの際の繋ぎ鎖として機能させることができる。これにより、開防止チェーン１６を通したまま固定パイプ部材３０ａ、スライドパイプ部材３０ｂを二つ折りとし三脚脚立２０に吊下げることができる。このため、三脚脚立用固定具８０を付けたまま三脚脚立２０を折り畳んで移動及び保管が可能となり、三脚脚立用固定具８０を常に忘れずに携行することができる。
【００２６】
尚、上記に示した三脚脚立用固定具８０、固定パイプ部材３０ａ、スライドパイプ部材３０ｂ、前支柱掛け金具３４ａ、後支柱掛け金具３４ｂ等の各部の形状、寸法、構成、デザイン等は一例であるから、上記の例に限定されるわけでは無く、本考案は本考案の要旨を逸脱しない範囲で変更して実施することが可能である。
【符号の説明】
【００２７】
１０    踏桟
１２    前支柱
１４    後支柱
１６    開防止チェーン
２０    三脚脚立
３０ａ  固定パイプ部材
３０ｂ  スライドパイプ部材
３２    固定手段
３４ａ  前支柱掛け金具
３４ｂ  後支柱掛け金具
３６    鎖開放部
８０    三脚脚立用固定具
【図１】
0003214371.tif 000003
【図２】
0003214371.tif 000004
【図３】
0003214371.tif 000005
【図４】
0003214371.tif 000006
【図５】
0003214371.tif 000007
【図６】
0003214371.tif 000008